(57)【要約】【課題】原稿支持台よりも上側に立ちあがる操作パネルを設けた原稿読取装置、およびそれを備えた複合機において、原稿のセット性の向上を図る。【解決手段】原稿読取装置１０は、原稿支持台１２と、原稿支持台１２の側面を覆う筐体１１と、揺動軸心を中心として原稿支持台１２を覆う閉位置Ｐと開放する開位置Ｑとの間で揺動可能な原稿押さえ１３と、操作入力するための操作パネル１４であって、閉位置Ｐにある原稿押さえ１３と高さ方向の位置が重なる第１位置Ｈと、第１位置Ｈよりも低い第２位置Ｌとの間で変位可能な操作パネル１４と、原稿押さえ１３が開位置Ｑにあるときに操作パネル１４を第２位置Ｌに位置させ、かつ原稿押さえ１３が閉位置Ｐにあるときに操作パネル１４を第１位置Ｈに位置させるように原稿押さえ１３の揺動と操作パネル１４の変位とを連動させる連動機構４０と、を備える。【選択図】図４
2019161621.tif 000002
【特許請求の範囲】
【請求項１】
原稿支持台と、
前記原稿支持台の側面を覆う筐体と、
揺動軸心を中心として前記原稿支持台を覆う閉位置と開放する開位置との間で揺動可能な原稿押さえと、
操作入力するための操作パネルであって、前記閉位置にある前記原稿押さえと高さ方向の位置が重なる第１位置と、前記第１位置よりも低い第２位置との間で変位可能な操作パネルと、
前記原稿押さえが前記開位置にあるときに前記操作パネルを前記第２位置に位置させ、かつ前記原稿押さえが前記閉位置にあるときに前記操作パネルを前記第１位置に位置させるように前記原稿押さえの揺動と前記操作パネルの変位とを連動させる連動機構と、を備える
原稿読取装置。
【請求項２】
前記原稿押さえは、開閉のための把持部を有し、
前記操作パネルは、前記原稿押さえの揺動軸心に沿う方向において、前記把持部に対してずれて配置されている
ことを特徴とする請求項１に記載の原稿読取装置。
【請求項３】
前記操作パネルを揺動可能に支持するヒンジ部を備え、
前記ヒンジ部は、所定のトルクを超えるトルクがかかると回動を許容するトルクヒンジである
ことを特徴とする請求項１または請求項２に記載の原稿読取装置。
【請求項４】
前記原稿押さえには、原稿を支持する原稿トレイと、前記原稿トレイから前記原稿支持台に向けて原稿を搬送する自動原稿搬送装置が設けられ、
前記操作パネルは、前記原稿押さえの揺動軸心に沿う方向において、前記原稿トレイに対してずれて配置されている
ことを特徴とする請求項１〜３のいずれか一項に記載の原稿読取装置。
【請求項５】
前記操作パネルは、前記筐体に設けられている
ことを特徴とする請求項１〜４のいずれか一項に記載の原稿読取装置。
【請求項６】
前記原稿読取装置の動作を制御する制御部と、
前記原稿押さえが前記開位置にあるか否かを検知する検知手段と、を備え、
前記制御部は、
前記検知部が前記開位置であることを検知したときに、前記操作パネルの操作入力を無効にするように前記原稿読取装置を制御する
ことを特徴とする請求項１〜５のいずれか一項に記載の原稿読取装置。
【請求項７】
請求項１〜６に記載の前記原稿読取装置と、
前記原稿読取装置の下方に空間を設けて配置され、上面に排紙トレイを有する画像形成装置と、を備え、
前記操作パネルは、前記画像形成装置の排紙トレイより上方に配置されている
ことを特徴とする複合機。
【発明の詳細な説明】
【技術分野】
【０００１】
本発明は、原稿支持台と原稿押さえと操作パネルとを備えた原稿読取装置、およびその原稿読取装置と画像形成装置とを備えた複合機の技術に関する。
【背景技術】
【０００２】
特許文献１には、原稿支持台を有するフラットベッド型の原稿読取装置において、原稿読取装置を操作するための操作パネルが原稿支持台よりも上側に立ちあがるように揺動する構成が開示されている。このような構成の原稿読取装置は、ユーザーの使用状況に合わせて操作パネルを収容したり、パネル角度を変更したりすることが可能となっている。
【先行技術文献】
【特許文献】
【０００３】
【特許文献１】特開２０１１−１７５１０６号公報
【発明の概要】
【発明が解決しようとする課題】
【０００４】
しかし、操作パネルが原稿支持台よりも上側に立ちあがる構成では、原稿読取時に原稿押さえを持ち上げて原稿支持台に原稿を載置するときに立ち上がった操作パネルが邪魔になり、ユーザーにとって原稿のセットがしにくくなる。
【０００５】
本発明は、原稿支持台よりも上側に立ちあがる操作パネルを設けた原稿読取装置、およびそれを備えた複合機において、原稿のセット性の向上を図ることができる技術を提供するものである。
【課題を解決するための手段】
【０００６】
本発明の解決しようとする課題は以上の如くであり、次にこの課題を解決するための手段を説明する。
【０００７】
即ち、本発明の画像読取装置（１０）は、原稿支持台（１２）と、前記原稿支持台（１２）の側面を覆う筐体（１１）と、揺動軸心を中心として前記原稿支持台（１２）を覆う閉位置（Ｐ）と開放する開位置（Ｑ）との間で揺動可能な原稿押さえ（１３）と、操作入力するための操作パネル（１４）であって、前記閉位置（Ｐ）にある前記原稿押さえ（１３）と高さ方向の位置が重なる第１位置（Ｈ）と、前記第１位置（Ｈ）よりも低い第２位置（Ｌ）との間で変位可能な操作パネル（１４）と、前記原稿押さえ（１３）が前記開位置（Ｑ）にあるときに前記操作パネル（１４）を前記第２位置（Ｌ）に位置させ、かつ前記原稿押さえ（１３）が前記閉位置（Ｐ）にあるときに前記操作パネル（１４）を前記第１位置（Ｈ）に位置させるように前記原稿押さえ（１３）の揺動と前記操作パネル（１４）の変位とを連動させる連動機構（４０）と、を備えることを特徴とする。
【０００８】
また、本発明の複合機（１）は、本発明に係る原稿読取装置（１０）と、前記原稿読取装置（１０）の下方に空間（Ｘ）を設けて配置され、上面に排紙トレイ（２２）を有する画像形成装置（２０）と、を備え、前記操作パネル（１４）は、前記画像形成装置（２０）の排紙トレイ（２２）より上方に配置されていることを特徴とする。
【発明の効果】
【０００９】
本発明の効果として、以下に示すような効果を奏する。
【００１０】
本発明の画像読取装置によれば、原稿支持台より上に操作パネルが立ち上がる構成において、原稿押さえを開位置にしたときに、連動機構によって操作パネルを第２位置へ退避させることができる。これにより、ユーザーが原稿支持台に原稿をセットする際には、ユーザーにとって邪魔になる位置から操作パネルが退避するため、原稿セット性を向上させることができる。
【００１１】
また、本発明の複合機によれば、操作パネルを有する原稿読取装置と画像形成装置とを備えた複合機において、操作パネルを画像形成装置と高さ方向において重ならない位置に配置しているため、画像形成装置の排紙部に排紙された用紙へのアクセス性を確保することができる。
【図面の簡単な説明】
【００１２】
【図１】本発明の一実施形態に係る複合機を示す斜視模式図である。
【図２】本発明の一実施形態に係る複合機を示す右側面断面模式図である。
【図３】原稿押さえおよび原稿押さえヒンジを示す模式図であり、（ａ）原稿押さえの開閉状況を示す右側面視部分断面模式図、（ｂ）原稿押さえヒンジおよびリミットスイッチの変位状況を示す右側面視部分断面模式図、である。
【図４】原稿押さえと操作パネルの連係状況を示す右側面視部分断面模式図である。
【図５】原稿支持台を示す平面模式図である。
【図６】操作パネルを示す模式図であり、（ａ）正面部分模式図、（ｂ）図６（ａ）におけるＡ−Ａ線断面矢視図、である。
【図７】操作パネルと把持部および原稿トレイの配置関係を示す正面模式図であり、（ａ）ヒンジの揺動軸方向において空間Ｘの幅と操作パネルの幅に重なりがある場合、（ｂ）ヒンジの揺動軸方向において空間Ｘの幅と操作パネルの幅に重なりがない場合、である。
【図８】トルクヒンジの動作を説明する右側面視部分断面模式図である。
【図９】画像読取装置における制御部のブロック図である。
【図１０】画像読取装置における操作パネルの無効化制御を示すフロー図である。
【発明を実施するための形態】
【００１３】
次に、発明の実施の形態を説明する。
【００１４】
［複合機の全体構成］
複合機について、説明する。なお、図１で示した矢印のように、複合機の前後方向、左右方向、上下方向を規定するものとし、その他の図においても同様としている。
図１に示す複合機１は、本発明に係る複合機の一実施形態である。複合機１は、複写機、スキャナ、印刷機等の複数の機能を有する装置として構成されており、画像読取装置１０と画像形成装置２０を備えている。複合機１では、画像読取装置１０に空間Ｘを設けて、その空間Ｘの下方に画像形成装置２０を配置している。空間Ｘは、画像読取装置１０の前方と下方に向けて開放された空間であり、空間Ｘを前面から見たときに、画像形成装置２０の上面に配置された排紙トレイ２２が視認可能となっている。
【００１５】
［画像読取装置の構成］
図１および図２に示すように、画像読取装置１０は、原稿から画像情報を読み取るための装置であり、筐体１１、原稿支持台１２、原稿押さえ１３、操作パネル１４を備えている。筐体１１は、画像読取装置１０の外殻を構成する箱体であり、その内部に光学スキャナ（図示せず）を内蔵している。
【００１６】
［原稿支持台の構成］
原稿支持台１２は、筐体１１の上端部に位置し、平坦な原稿載置台（いわゆるフラットベッド）を構成する部位であって、前後左右の側部が筐体１１によって覆われている。原稿支持台１２の上面には、平坦で透明なガラス板１５（図３参照）を配置しており、筐体１１に内蔵した前記光学スキャナによって、ガラス板１５上に支持した原稿に下方より光を照射するとともに、その反射光を受光することが可能である。
【００１７】
［原稿押さえの構成］
原稿押さえ１３は、原稿支持台１２のガラス板１５上に支持された原稿を上方から押さえるとともに、原稿の周囲を暗所とするための部位であり、原稿支持台１２の上方に配置されている。原稿押さえ１３は、左右方向に列置された一対の原稿押さえヒンジ１６、１６（図３参照）によって、原稿支持台１２に対して支持されている。
【００１８】
また、原稿押さえ１３の前部における略中央には、該原稿押さえ１３をユーザーが揺動（開閉）させる際につかむための凹部である把持部１７が形成されている。
【００１９】
図３（ａ）（ｂ）に示すように、原稿押さえヒンジ１６は、原稿押さえ１３を原稿支持台１２に対して揺動可能に支持するための部位であり、支持部材１６ａ、揺動部材１６ｂ、軸部材１６ｃにより構成される。揺動部材１６ｂは、原稿押さえ１３を支持している。揺動部材１６ｂは、軸部材１６ｃによって支持部材１６ａに対して回動可能に支持されている。
【００２０】
図５に示すように、原稿支持台１２の上面には、原稿押さえヒンジ１６を配置するためのヒンジ用凹部１２ａが形成されている。そして、図３（ａ）（ｂ）に示すように、原稿押さえヒンジ１６は、軸部材１６ｃの揺動軸心が複合機１の左右方向に向く姿勢で、原稿支持台１２のヒンジ用凹部１２ａに支持部材１６ａが差し込まれる。このような構成により、原稿押さえ１３は、原稿押さえヒンジ１６の揺動軸心を中心として閉位置Ｐと開位置Ｑとの間で揺動可能となっている。なお、図２、４、８においては、図示を簡略化するため、原稿押さえヒンジ１６の記載を省略している。また、原稿読取装置１０を構成する原稿押さえヒンジ１６の構成は、本実施形態で示したものに限定されるものではない。
【００２１】
さらに、図４に示すように、原稿押さえ１３は、アーム部１３ａを備えている。アーム部１３ａは、原稿押さえ１３を後述する連動機構４０に連係させるための腕状の部位であり、原稿押さえ１３の下面より突出されている。そして、アーム部１３ａは、原稿支持台１２の上面に形成された開口部１２ｂから筐体１１内の空間Ｙに挿入され、空間Ｙの内部に至る長さを有している。そして、アーム部１３ａは、原稿押さえ１３の揺動に応じて、空間Ｙ内で変位できるように構成されている。なお、空間Ｙは、後述する連動機構４０を収容する空間である。
【００２２】
［原稿押さえの揺動位置について］
図３（ａ）（ｂ）に示すように、原稿押さえ１３は、原稿支持台１２に配置された原稿載置台となるガラス板１５の上面を覆う位置である閉位置Ｐと、ガラス板１５の上面を開放する位置である開位置Ｑと、の間で揺動可能に構成される。また、原稿押さえ１３は、図３（ｂ）に示すように、ヒンジ用凹部１２ａの形成方向に沿って、上下方向に変位することが可能であり、厚みが大きい原稿を読み取る際であっても、原稿押さえ１３が閉位置Ｐにおいて上下に変位することができるように構成されている。
【００２３】
［操作パネルの構成］
図１および図２に示すように、操作パネル１４は、ユーザーが複合機１に対して各種の指示を与えるために操作するパネル状の部位であり、表示手段（ディスプレイ）と操作手段（操作スイッチ）を兼ねたタッチパネル１９が配置されている。複合機１では、操作パネル１４を複合機１の前側の左寄りの位置に配置している。なお、複合機１の前側はユーザーがアクセスする側である。
【００２４】
タッチパネル１９は、ユーザーが印刷枚数の設定、用紙の大きさ・枚数等の情報を入力するための操作手段たる部位であり、数値を入力するためのテンキー等の複数の操作ボタンが画面上に表示される。また、タッチパネル１９は、複合機１の設定状況や動作状況等を表す情報を表示するための表示手段たる部位でもある。
【００２５】
図６（ａ）に示すように、操作パネル１４は、筐体１１の上面に突設されたステー１１ａ、１１ａに対して、パネルヒンジ１８を介して回動可能に支持されている。即ち、複合機１において、操作パネル１４は、画像読取装置１０に対して取り付けられている。
【００２６】
［パネルヒンジの構成］
パネルヒンジ１８は、図６（ａ）（ｂ）に示すように、回動基部１８ａ、回動軸１８ｂ、摩擦部材１８ｃにより構成される。回動基部１８ａは、円筒状の軸部材からなる部位であり、操作パネル１４の下端部に付設される。回動軸１８ｂは、回動基部１８ａを回動可能に支持する軸部材であり、回動基部１８ａに挿通される。摩擦部材１８ｃは、回動基部１８ａの内周面と回動軸１８ｂの外周面の間に介設される。
【００２７】
パネルヒンジ１８は、回動基部１８ａに対して、回動軸１８ｂの軸心回りに所定のトルク以下のトルクが作用する状態では、回動基部１８ａと摩擦部材１８ｃ、および回動軸１８ｂと摩擦部材１８ｃとの間で生じる摩擦力によって、回動軸１８ｂが回動したときに回動基部１８ａと回動軸１８ｂとが連れ回るように構成される。また、パネルヒンジ１８は、回動基部１８ａに対して、回動軸１８ｂの軸心回りに所定のトルクを超えるトルクが作用すると、回動基部１８ａと摩擦部材１８ｃ、もしくは回動軸１８ｂと摩擦部材１８ｃとの間ですべりが生じて、回動基部１８ａと回動軸１８ｂが相対回転可能となるように構成される。即ち、パネルヒンジ１８は、いわゆるトルクヒンジとして構成されている。なお、原稿読取装置１０を構成するパネルヒンジの構成は、本実施形態で示したものには限定されず、ステー１１ａの取り付け位置やトルクヒンジの構成等を適宜変更してもよい。
【００２８】
さらに、パネルヒンジ１８は、アーム部１８ｄを備えている。アーム部１８ｄは、後述する連動機構４０に連係する腕状の部位であり、回動軸１８ｂからその軸心に直交する方向に突出されている。アーム部１８ｄは、回動軸１８ｂと一体的に回動可能に構成されている。アーム部１８ｄは、筐体１１の上面に形成された開口部１１ｂから筐体１１内の空間Ｙに挿入されている。そして、アーム部１８ｄは、パネルヒンジ１８の回動軸１８ｂの回動に応じて、空間Ｙ内で変位できるように構成されている。換言すれば、パネルヒンジ１８の回動軸１８ｂは、空間Ｙ内におけるアーム部１８ｄの変位に応じて回動される。
【００２９】
［操作パネルの回動位置について］
そして、操作パネル１４は、図４に示すように、閉位置Ｐにある原稿押さえ１３と高さ方向に重なりが生じる位置である第１位置Ｈと、この第１位置Ｈより低い位置である第２位置Ｌと、の間で回動可能に構成される。なお、図４に示す第２位置Ｌは、操作パネル１４が筐体１１に接触する位置であり、それより下方へ回動することが不可能な位置として例示しているが、第２位置Ｌは、第１位置Ｈよりも低い位置であればよく、前後方向視において、閉位置Ｐにある原稿押さえ１３と重なる位置であってもよい。
【００３０】
［自動原稿搬送装置の構成］
図１および図２に示すように、自動原稿搬送装置３０は、原稿を画像読取装置１０に対して連続的に供給することを可能にする装置である。自動原稿搬送装置３０は、原稿押さえ１３の左側上部に配置され、原稿押さえ１３と一体的に構成されている。また、自動原稿搬送装置３０は、該自動原稿搬送装置３０により搬送する原稿を積層して載置することができる原稿トレイ３１を備えている。原稿トレイ３１は、左寄りに配置された自動原稿搬送装置３０の右側面から、略右方に向けて延設されている。
【００３１】
［画像形成装置の構成］
図１および図２に示すように、画像形成装置２０は、画像読取装置１０で読み取った原稿の画像情報を用紙に印刷する装置であり、画像読取装置１０の下方に配置されている。画像形成装置２０は、略直方体状の箱体である筐体２１を備え、該筐体２１の内部には、感光体、帯電器、露光器、転写体、定着器等からなる画像形成ユニット（図示せず）や基板（図示せず）等を内蔵している。画像形成装置２０は、該画像形成装置２０から排紙を排出する部位である排紙トレイ２２を備えている。複合機１では、排紙トレイ２２による用紙の排紙先を空間Ｘとしており、ユーザーは、複合機１に対して前方からアクセスして、画像形成装置２０から排紙された用紙を取ることができる。
【００３２】
［操作パネルの配置について］
図７（ａ）（ｂ）に示すように、操作パネル１４は、原稿押さえ１３の揺動軸心に沿う方向である左右方向において、把持部１７と重ならない位置に配置されている。即ち、複合機１において、操作パネル１４は、該操作パネル１４が第１位置Ｈに立ち上がっていたとしても、原稿押さえ１３を開閉するための把持部１７をつかむ際に邪魔にならない位置に配置されている。そして、このような構成によれば、ユーザーが原稿支持台１２に原稿をセットする際に、操作パネル１４が邪魔になりにくいため、良好な作業性を確保することができる。
【００３３】
また、操作パネル１４は、原稿押さえ１３の揺動軸心に沿う方向である左右方向において、原稿トレイ３１と重ならない位置に配置されている。即ち、複合機１では、左右方向に原稿トレイ３１と操作パネル１４がずれて配置されるので、原稿トレイ３１に原稿をセットするときにも操作パネル１４が邪魔になりにくい。そして、このような構成によれば、ユーザーが原稿トレイ３１に原稿をセットする際に、操作パネル１４が邪魔になりにくいため、良好な作業性を確保することができる。
【００３４】
また、複合機１において、操作パネル１４は、原稿読取装置１０の筐体１１に設けられている。複合機１では、操作パネル１４を原稿読取装置１０に設けることで、例えば、原稿読取装置１０の下方に空間Ｘを設けて画像形成装置２０を配置し、画像形成装置２０の上面に排紙トレイ２２を構成した場合に、操作パネル１４が排紙を取り出す際の邪魔になりにくいようにしている。また、複合機１は、操作パネル１４を有する原稿読取装置１０と画像形成装置２０とを備えており、操作パネル１４を画像形成装置２０と高さ方向において重ならない位置に配置しているため、画像形成装置２０の排紙トレイ２２に排紙された用紙へのアクセス性を確保することができる。
【００３５】
なお、図７（ｂ）に示す複合機１のように、原稿押さえ１３の揺動軸心に沿う方向である左右方向において、操作パネル１４を空間Ｘに重ならない位置に配置する場合には、高さ方向において、操作パネル１４と空間Ｘとが重なる配置としてもよい。
【００３６】
［連動機構について］
画像読取装置１０は、図４に示すような連動機構４０を備えている。連動機構４０は、原稿押さえ１３の開閉（揺動）動作に連係させて、操作パネル１４を回動させるための機構である。連動機構４０は、リンク部材４１、第１軸部材４２、第２軸部材４３により構成され、原稿押さえ１３のアーム部１３ａと、パネルヒンジ１８のアーム部１８ｄとを連係させる。
【００３７】
リンク部材４１は棒状の部材であり、一端部に第１軸孔４１ａが形成されるとともに、他端部に第２軸孔４１ｂが形成される。リンク部材４１は、第１軸孔４１ａにおいて、図示しないベアリングを介して第１軸部材４２を軸支するとともに、第２軸孔４１ｂにおいて図示しないベアリングを介して第２軸部材４３を軸支している。
そして、連動機構４０では、第１軸部材４２によって、原稿押さえ１３のアーム部１３ａを相対回転可能に軸支するとともに、第２軸部材４３によって、パネルヒンジ１８のアーム部１８ｄを相対回転可能に軸支することにより、リンク部材４１、第１軸部材４２、第２軸部材４３によって、原稿押さえ１３のアーム部１３ａと、パネルヒンジ１８のアーム部１８ｄを連係させる。
【００３８】
［連動機構の動作について］
図４に示すように、連動機構４０は、ユーザーが原稿押さえ１３を閉位置Ｐと開位置Ｑの間で揺動させるとき、アーム部１３ａは、筐体１１内において、原稿押さえ１３の揺動位置に応じた位置に、原稿押さえヒンジ１６の揺動軸心を中心とした円弧状の軌跡を描きつつ変位される。このとき、第１軸部材４２は、原稿押さえ１３の揺動位置に応じた位置に変位され、リンク部材４１を変位させる。リンク部材４１は一定長さを有しているため、第１軸部材４２の変位に応じて、第２軸部材４３が原稿押さえ１３の揺動位置に応じた位置に変位される。そして、第２軸部材４３の変位に応じて、回動軸１８ｂ回りにアーム部１８ｄが回動され、これに伴って、回動基部１８ａに繋がる操作パネル１４が回動される。
【００３９】
具体的には、画像読取装置１０では、原稿押さえ１３を閉位置Ｐとしたとき、操作パネル１４は、閉位置Ｐに対応する第１位置Ｈに回動され、原稿押さえ１３を開位置Ｑとしたとき、操作パネル１４は、開位置Ｑに対応する第２位置Ｌに回動される。
【００４０】
即ち、画像読取装置１０では、連動機構４０によって、ユーザーの原稿押さえ１３の揺動操作に応じて、操作パネル１４を回動させることができるように構成されている。このような構成の画像読取装置１０は、原稿支持台１２より上に操作パネル１４が立ち上がる構成において、原稿押さえ１３を開位置Ｑにしたときに、連動機構４０によって操作パネル１４を第２位置Ｌへ退避させることができる。これにより、ユーザーが原稿支持台１２に原稿をセットする際には、ユーザーにとって邪魔になる位置から操作パネル１４が退避するため、原稿セット性を向上させることができる。なお、連動機構４０としては、より簡易に構成できるため、本実施形態で示したリンク部材４１等を用いた機械的な機構を採用することが好ましいが、連動機構４０の構成はこれに限定されず、例えば、アクチュエータやモータ等の駆動源とセンサを組み合わせた構成としてもよい。
【００４１】
［パネルヒンジの動作について］
図８に示すように、画像読取装置１０では、連動機構４０によって、ユーザーが原稿押さえ１３を閉位置Ｐとし、操作パネル１４が第１位置Ｈに回動されたとき、立ち上がっている操作パネル１４が、ユーザーにとって邪魔になる場合がある。画像読取装置１０では、パネルヒンジ１８をトルクヒンジとしているため、ユーザーが操作パネル１４を押すことで、操作パネル１４だけを回動させることができ、原稿押さえ１３が閉位置Ｐの状態で、操作パネル１４を第２位置Ｌとすることができる。即ち、画像読取装置１０およびこれを備えた複合機１では、操作パネル１４が第１位置Ｈにある状態（即ち、立ち上がっている状態）において、操作パネル１４だけ倒したい場合には、原稿押さえ１３と連動することなく、操作パネル１４を倒すことができ、作業性をよりよくすることができる。
【００４２】
また、画像読取装置１０では、原稿押さえ１３が閉位置Ｐで、操作パネル１４が第２位置Ｌである状態から、ユーザーが原稿押さえ１３を開位置Ｑとすると、パネルヒンジ１８によって、操作パネル１４は第２位置Ｌに維持される。つまり、画像読取装置１０では、操作パネル１４のみを回動させた後で、ユーザーが原稿押さえ１３を開位置Ｑとする（即ち、通常の操作をする）だけで、連動機構４０を通常の作動状態へ復帰させることができる。
【００４３】
［パネル操作の無効化制御について］
画像読取装置１０は、原稿押さえ１３が開位置Ｑであるときに、操作パネル１４からの操作入力を無効にする構成としており、図９に示すように、コントローラ５０、リミットスイッチ５１、切換スイッチ５２を備えている。
【００４４】
コントローラ５０は、画像読取装置１０の動作を制御する制御部であり、図示は省略するが、筐体１１に内蔵されている。リミットスイッチ５１は、図５に示すように、原稿支持台１２の上面に露出するように配置されている。また、リミットスイッチ５１は、図３に示すように、原稿押さえヒンジ１６の支持部材１６ａに固定されており、原稿押さえヒンジ１６の上下変位に合わせて上下変位されるように構成されている。リミットスイッチ５１は、このような構成により、原稿の厚みに関わらず原稿押さえ１３の開閉状態を検知することが可能になっている。切換スイッチ５２は、操作パネル１４からコントローラ５０に対して出力信号を送る回路上に設けられており、コントローラ５０の指令に応じて、該切換スイッチ５２を入切できるように構成されている。なお、原稿読取装置１０を制御する制御部の構成は、本実施形態で示したものには限定されず、リミットスイッチの代わりに光学式のセンサを用いてもよいし、コントローラが有する機能で切換スイッチの機能を達成してもよく、適宜変更することができる。
【００４５】
このような構成において、図３（ａ）（ｂ）に示すように、原稿押さえ１３が閉位置Ｐにあるとき、リミットスイッチ５１は、原稿押さえ１３により押圧されて、原稿支持台１２の上面より上方に突出しない位置に押し込まれる。コントローラ５０は、リミットスイッチ５１が押し込まれたことにより、原稿押さえ１３が閉位置Ｐにあることを検知する。また、原稿押さえ１３が開位置Ｑにあるとき、リミットスイッチ５１は、原稿支持台１２の上面から上方へ突出する状態となる。このときコントローラ５０は、原稿押さえ１３が開位置Ｑにあることを検知する。
【００４６】
そして、画像読取装置１０では、リミットスイッチ５１の検知情報に基づいて、コントローラ５０によって、操作パネル１４からの操作入力の有効および無効を切り換える構成としている。
【００４７】
図１０に示す如く、画像読取装置１０における操作パネル１４の操作の無効化制御では、まず、コントローラ５０によって、操作パネル１４が「画面ＯＮ」か「画面ＯＦＦ」かに基づく判定を行う（ＳＴＥＰ−０１）。ここでいう画面ＯＮとは、タッチパネル１９にテンキー等の複数の操作ボタンを画面上に表示したり、動作状況等を表す情報を表示したりしている状況を示す。また、画面ＯＦＦとは、スリープ状態などにおいてタッチパネル１９の表示をしていない状況を示す。
この無効化制御は、コントローラ５０によって所定時間ごと、たとえば１秒おきに繰り返し行われる。操作パネル１４が「画面ＯＮ」であれば（ＳＴＥＰ−０１：ｙｅｓ）、次のステップへ移行する。なお、操作パネル１４が「画面ＯＦＦ」であれば、ユーザーが間違ってタッチパネル１９を触ったとしても反応しないのでコントローラ５０は、無効化制御を行う必要がないものと判断し、ここで無効化制御を終了する（ＳＴＥＰ−０１：ｎｏ）。
【００４８】
ＳＴＥＰ−０２においては、コントローラ５０がリミットスイッチ５１の検知情報に基づいて原稿押さえ１３の位置が開位置Ｑか否かの判定を行う。このとき、原稿押さえ１３が開位置Ｑであれば（ＳＴＥＰ−０２：ｙｅｓ）、コントローラ５０は、ユーザーが原稿支持台１２へ原稿をセットしている最中に誤って操作パネル１４に触れてしまう可能性が高い状態であると判断し、切換スイッチ５２によって、タッチパネル１９からコントローラ５０へ信号が送られたとしても無視しタッチパネル１９の入力操作を無効化（ＳＴＥＰ−０３）し終了する。
【００４９】
一方、コントローラ５０は、原稿押さえ１３が開位置Ｑでない即ち閉位置Ｐであると（ＳＴＥＰ−０２：ｎｏ）、ユーザーが原稿支持台１２へ原稿をセットすることができないので誤ってタッチパネル１９に触れてしまう可能性が低い状態であると判断し、切換スイッチ５２によって操作パネル１４からの信号を遮断しない状態として、タッチパネル１９の入力操作の出力を有効化（ＳＴＥＰ−０４）し終了する。
【００５０】
即ち、このような無効化制御を実行可能な画像読取装置１０では、原稿押さえ１３が開位置Ｑにあれば、ユーザーが原稿をセットしている状態と考え、タッチパネル１９の入力を禁止する。これにより、原稿支持台１２の前側に操作パネル１４が設けられて原稿セット時にタッチパネル１９を誤って触るようなことがあっても、誤動作の発生を抑制することができる。
【００５１】
［実施形態の効果］
本発明の一実施形態に係る画像読取装置１０は、以下のような効果を奏する。
画像読取装置１０は、原稿支持台１２と、原稿支持台１２の側面を覆う筐体１１と、揺動軸心を中心として原稿支持台１２を覆う閉位置Ｐと開放する開位置Ｑとの間で揺動可能な原稿押さえ１３と、操作入力するための操作パネルであって、閉位置Ｐにある原稿押さえ１３と高さ方向の位置が重なる第１位置Ｈと、第１位置Ｈよりも低い第２位置Ｌとの間で変位可能な操作パネル１４と、原稿押さえ１３が開位置Ｑにあるときに操作パネル１４を第２位置Ｌに位置させ、かつ原稿押さえ１３が閉位置Ｐにあるときに操作パネル１４を第１位置Ｈに位置させるように原稿押さえ１３の揺動と操作パネル１４の変位とを連動させる連動機構４０と、を備えるものである。
【００５２】
このような構成の画像読取装置１０によれば、原稿支持台１２より上に操作パネル１４が立ち上がる構成において、原稿押さえ１３を開位置Ｑにしたときに、連動機構４０によって操作パネル１４を第２位置Ｌへ退避させることができる。これにより、ユーザーが原稿支持台１２に原稿をセットする際には、ユーザーにとって邪魔になる位置から操作パネル１４が退避するため、原稿セット性を向上させることができる。
【００５３】
また、画像読取装置１０において、原稿押さえ１３は、開閉のための把持部１７を有し、操作パネル１４は、原稿押さえ１３の揺動軸心に沿う方向において、把持部１７に対してずれて配置されているものである。
【００５４】
このような構成の画像読取装置１０によれば、操作パネル１４が、立ち上がっていても原稿押さえ１３を開閉するための把持部１７の邪魔にならない位置に配置される。
【００５５】
また、画像読取装置１０は、操作パネル１４を揺動可能に支持するパネルヒンジ１８を備え、パネルヒンジ１８は、所定のトルクを超えるトルクがかかると回動を許容するトルクヒンジである。
【００５６】
このような構成の画像読取装置１０によれば、操作パネル１４が立ち上がっている状態において、操作パネル１４だけ倒したい場合に原稿押さえ１３と連動することなく、操作パネル１４を倒すことができる。
【００５７】
また、画像読取装置１０は、原稿押さえ１３には、原稿を支持する原稿トレイ３１と、原稿トレイ３１から原稿支持台１２に向けて原稿を搬送する自動原稿搬送装置３０が設けられ、操作パネル１４は、原稿押さえ１３の揺動軸心に沿う方向において、原稿トレイ３１に対してずれて配置されている。
【００５８】
このような構成の画像読取装置１０によれば、横方向に原稿トレイ３１と操作パネル１４がずれて配置されるので、原稿トレイ３１に原稿をセットするときにも操作パネル１４が邪魔になりにくい。
【００５９】
また、画像読取装置１０において、操作パネル１４は、筐体１１に設けられている。
【００６０】
このような構成の画像読取装置１０によれば、操作パネル１４を原稿読取装置１０に設けることで、例えば原稿読取装置１０の下方に空間Ｘを設けて画像形成装置２０を配置し、画像形成装置２０の上面に排紙トレイ２２を構成した場合に、操作パネル１４が排紙を取り出す際の邪魔になりにくい。
【００６１】
また、画像読取装置１０は、原稿読取装置１０の動作を制御するコントローラ５０と、原稿押さえ１３が開位置Ｑにあるか否かを検知するリミットスイッチ５１と、を備え、コントローラ５０は、リミットスイッチ５１が開位置Ｑであることを検知したときに、操作パネル１４の操作入力を無効にするように原稿読取装置１０を制御するものである。
【００６２】
このような構成の画像読取装置１０によれば、原稿押さえ１３が開位置Ｑにあれば、原稿をセットしている状態と考え、操作パネル１４の入力を禁止する。これにより、原稿セット時に操作パネル１４を触ることによる誤動作を抑制することができる。
【００６３】
また、本発明の一実施形態に係る複合機１は、以下のような効果を奏する。
複合機１は、原稿読取装置１０と、原稿読取装置１０の下方に空間Ｘを設けて配置され、上面に排紙トレイ２２を有する画像形成装置２０と、を備え、操作パネル１４は、画像形成装置２０の排紙トレイ２２より上方に配置されている。
【００６４】
このような構成の複合機１によれば、操作パネル１４を有する原稿読取装置１０と画像形成装置２０とを備えた複合機１において、操作パネル１４を画像形成装置２０と高さ方向において重ならない位置に配置しているため、画像形成装置２０の排紙トレイ２２に排紙された用紙へのアクセス性を確保することができる。
【符号の説明】
【００６５】
１    複合機
１０  画像読取装置
１１  筐体
１２  原稿支持台
１３  原稿押さえ
１４  操作パネル
１７  把持部
１８  パネルヒンジ（ヒンジ部）
２０  画像形成装置
２２  排紙トレイ
３０  自動原稿搬送装置
３１  原稿トレイ
４０  連動機構
５０  コントローラ（制御部）
Ｐ    （原稿押さえの）閉位置
Ｑ    （原稿押さえの）開位置
Ｈ    （操作パネルの）第１位置
Ｌ    （操作パネルの）第２位置
Ｘ    空間
【図１】
2019161621.tif 000003
【図２】
2019161621.tif 000004
【図３】
2019161621.tif 000005
【図４】
2019161621.tif 000006
【図５】
2019161621.tif 000007
【図６】
2019161621.tif 000008
【図７】
2019161621.tif 000009
【図８】
2019161621.tif 000010
【図９】
2019161621.tif 000011
【図１０】
2019161621.tif 000012